【手続補正書】
【提出日】平成17年2月22日(2005.2.22)
【手続補正１】
【補正対象書類名】明細書
【補正対象項目名】全文
【補正方法】変更
【補正の内容】
【書類名】      明細書
【発明の名称】  入賞球処理装置
【特許請求の範囲】
【請求項１】
入賞球を排出部へ排出させるための入賞球流路と、
前記入賞球流路に臨みうるとともに、少なくとも１つの入賞球を収容しうる収容部を有してなり、前記入賞球を搬送するための回動体と、
前記回動体にて搬送される入賞球を１つずつ検出するための検出手段と
を備えた入賞球処理装置であって、
前記回動体を軸方向へ移動させることに基づいて、当該回動体が所定角度を超えて回動するのを規制する回動規制手段を設けたことを特徴とする入賞球処理装置。
【請求項２】
請求項１に記載の入賞球処理装置において、
前記回動規制手段は、所定の条件が成立したときに前記回動体を軸方向へ移動させる駆動部と、前記回動体が軸方向へ移動したことに基づいて前記回動体に設けられた係合部が固定状態にある被係合部と係合することによりそれ以上の回動を規制する係合機構とを含んでいることを特徴とする入賞球処理装置。
【請求項３】
請求項２に記載の入賞球処理装置において、
前記回動体は軸方向に往復移動するものであり、前記係合機構は往動側及び復動側にそれぞれ設けられているものであることを特徴とする入賞球処理装置。
【請求項４】
請求項２又は３に記載の入賞球処理装置において、
前記係合機構は、前記回動体が軸方向へ移動したことに基づいて前記回動体に設けられた係合部が固定状態にある被係合部と係合する際に、前記回動体を所定角度ずつ回動させ、かつ、所定角度以上の回動を規制するよう構成されていることを特徴とする入賞球処理装置。
【請求項５】
請求項２〜４のいずれかに記載の入賞球処理装置において、前記係合部及び被係合部は、相互に噛合しあうとともに、環状に配列されたテーパ状の斜歯によって構成されていることを特徴とする入賞球処理装置。
【発明の詳細な説明】
【０００１】
【発明の属する技術分野】
本発明は、例えば入賞球を検出して所定数の景品球を払い出すパチンコ機等の遊技機において、入賞球流路を流れる入賞球を１つずつ検出して排出する入賞球処理装置に関するものである。
【０００２】
【従来の技術】
従来、パチンコ機においては、入賞口を通過した入賞球を、パチンコ機裏側の集合路から１列になるよう導出して、最終的には、入賞球処理装置において先行順に１球ずつ検出するとともに、排出部へと排出するようになっている。また、別途パチンコ機の裏側に設けられた景品球払出装置は、前記１球ずつ検出された入賞球に基づいて所定数（例えば５個又は１５個）の景品球を払い出すようになっている。
【０００３】
この種の入賞球処理装置としては、例えば図２４に示すようなものが知られている。すなわち、入賞球処理装置１１１は、樹脂製のハウジング１１２内において、入賞球Ｂ１，Ｂ２，Ｂ３，Ｂ４を一列に配列せしめるとともに、下部の排出部（図示せず）へと導出するための入賞球流路１１３を備えている。この入賞球流路１１３の途中には、入賞球Ｂ１〜Ｂ４が１つずつ通過するのを検出するための球検出センサ１１４が設けられている。
【０００４】
また、ハウジング１１２内において、前記入賞球流路１１３とは異なる位置にはソレノイド１１５が設けられており、当該ソレノイド１１５にはプランジャ１１６が出没可能に設けられている。プランジャ１１６の先端部分には、先端に長孔１１７を有する固定アーム１１８の基端部が固定されている。さらに、ハウジング１１２には、可動アーム１１９が回動可能に軸支されており、該可動アーム１１９の軸支部分の近傍には軸１２３が突出した状態で設けられている。そして、固定アーム１１８の長孔１１７に対し可動アーム１１９の軸１２３が挿通され、可動アーム１１９はこの軸１２３の存在により、固定アーム１１８に連動して回動するようになっている。また、可動アーム１１９は、その長手方向中間部分において、第１のストッパ１２１を有しているとともに、その略先端部分において、第２のストッパ１２２を有している。
【０００５】
さらに、プランジャ１１６の外周において、ソレノイド１１５及び固定アーム１１８間には図示しないコイルスプリングが配設されている。このコイルスプリングの付勢力により、ソレノイド１１５が非励磁状態のときには（通常時には）、図２４に示すように、プランジャ１１６が突出した状態となり、このとき、可動アーム１１９は、同図時計回り方向へと回動した状態に維持される。そして、１列に配列させられている入賞球Ｂ１〜Ｂ４のうち、最下端の入賞球Ｂ１が第１のストッパ１２１にて支持され、全ての入賞球Ｂ１〜Ｂ４の流下が阻止される。このとき、ちょうど停止状態にある最下端の入賞球Ｂ１が球検出センサ１１４によって検出される。そして、その検出信号に基づき、図示しない制御装置は、ソレノイド１１５を励磁状態へと切換える。
【０００６】
すると、図２５に示すように、プランジャ１１６がコイルスプリングの付勢力に抗してソレノイド１１６内へ没入することとなり、固定アーム１１８は上動し、可動アーム１１９は、同図反時計回り方向へと回動される。このため、それまで最下端にあった入賞球Ｂ１は、解放され、下方にある排出部の方へと入賞球流路１１３内を流下する。また、これとともに、可動アーム１１９の第２のストッパ１２２が次の入賞球Ｂ２に当たり、当該入賞球Ｂ２及びそれより上の入賞球Ｂ３，Ｂ４の落下が阻止される。そして、再度制御装置によってソレノイド１１５が非励磁状態へと切換えられ、以降、この入賞球処理装置１１１において、上記と同様の動作が繰り返される。なお、このような入賞球処理装置に関連する技術としては、例えば特開昭５９−２０９３７１号公報、実開平２−６５９７６号公報等に開示されたものが知られている。
【０００７】
しかし、上記技術では、ソレノイド１１５が非励磁状態から励磁状態へと切換えられる際、又は、励磁状態から非励磁状態へと切換えられる際、可動アーム１１９は、原則として円弧を描くようにして図中反時計回り方向又は時計回り方向へと回動する。このため、第１のストッパ１２１が平行にスライドせず、多少なりとも上下方向に移動してしまう。従って、１列に配列させられている入賞球Ｂ１〜Ｂ４は、ソレノイド１１５の励磁・非励磁がいずれか一方に切換えられるごとに、入賞球Ｂ１〜Ｂ４の流下方向とは反対に、上方へ一旦持ち上げられることとなる。そのため、第１のストッパ１２１（可動アーム１１９）に大きな負荷がかかってしまうおそれがあり、ひいては、ソレノイド１１５にも負荷がかかってしまうおそれがあった。
【０００８】
一方、長孔１１７の位置、形状等を適宜微調節することで第１のストッパ１２１が極力円弧を描かないようにして作動するよう設定することも可能である。ところが、この場合には、設計上の精度を高める必要があり、大量生産には不適となっていた。
【０００９】
これに対し、外周に複数の収容部を有する回転体を用いて入賞球処理装置を構成することも考えられる。つまり、外周に複数の収容部を有する回転体を、その収容部が入賞球流路に臨むようにして配置し、入賞球の重みで回動可能としておく。そして、ソレノイド等を用いて回転体が所定角度毎に回動・停止を行うよう制御するとともに、入賞球を１つずつ検出し、その後導出するのである。このような構成を採用した場合には、上記の如き不具合は多少なりとも解消される。
【００１０】
【発明が解決しようとする課題】
ところが、このような方法を採用した場合には、次に記すような不具合が生じるおそれがあった。すなわち、ソレノイド等が何らかの原因で故障した場合には、回転体の回動を停止させることができずに、回転体の自由回動が許容されてしまうケースが考えられる。かかる場合には、入賞球の重みで回転体が連続的に回転してしまう。そのため、入賞球が適切に検出されることなく、排出部へと大量に導出されてしまうおそれがあった。その結果、本来払い出されるべき所定数の景品球が払い出されないおそれがあり、遊技者にとって不測の不利益が生じたり、興趣が低下してしまったりするおそれがあった。
【００１１】
本発明は、このような事情に鑑みてなされたものであって、その目的は、入賞球の負荷による不具合を抑制することができるとともに、故障時等における遊技者にとっての不利益や興趣の低下を防止することのできる入賞球処理装置を提供することにある。
【００１２】
【課題を解決するための手段】
上記の目的を達成するため、請求項１に記載の発明においては、入賞球を排出部へ排出させるための入賞球流路と、前記入賞球流路に臨みうるとともに、少なくとも１つの入賞球を収容しうる収容部を有してなり、前記入賞球を搬送するための回動体と、前記回動体にて搬送される入賞球を１つずつ検出するための検出手段とを備えた入賞球処理装置であって、前記回動体を軸方向へ移動させることに基づいて、当該回動体が所定角度を超えて回動するのを規制する回動規制手段を設けたことをその要旨としている。
【００１３】
また、請求項２に記載の発明では、請求項１に記載の入賞球処理装置において、前記回動規制手段は、所定の条件が成立したときに前記回動体を軸方向へ移動させる駆動部と、前記回動体が軸方向へ移動したことに基づいて前記回動体に設けられた係合部が固定状態にある被係合部と係合することによりそれ以上の回動を規制する係合機構とを含んでいることをその要旨としている。
【００１４】
さらに、請求項３に記載の発明では、請求項２に記載の入賞球処理装置において、前記回動体は軸方向に往復移動するものであり、前記係合機構は往動側及び復動側にそれぞれ設けられているものであることをその要旨としている。
【００１５】
併せて、請求項４に記載の発明では、請求項２又は３に記載の入賞球処理装置において、前記係合機構は、前記回動体が軸方向へ移動したことに基づいて前記回動体に設けられた係合部が固定状態にある被係合部と係合する際に、前記回動体を所定角度ずつ回動させ、かつ、所定角度以上の回動を規制するよう構成されていることをその要旨としている。また、請求項５に記載の発明では、請求項２〜４のいずれかに記載の入賞球処理装置において、前記係合部及び被係合部は、相互に噛合しあうとともに、環状に配列されたテーパ状の斜歯によって構成されていることをその要旨としている。
【００１６】
（作用）
上記請求項１に記載の発明によれば、入賞球は、入賞球流路を通って排出部へと排出させられる。また、入賞球流路に臨みうる回動体の収容部に、少なくとも１つの入賞球が収容され、回動体が回動することにより入賞球が搬送される。このため、回動体が、入賞球の重力に則した方向に回動する限り、入賞球をその重力に反して持ち上げるようなことがない。さらに、このことから、入賞球の持ち上げを考慮した微妙な設計をしなくて済む。そして、回動体にて搬送される入賞球は、検出手段にて１つずつ検出される。
【００１７】
さて、本発明では、回動規制手段により、回動体が軸方向へ移動させられることに基づいて、当該回動体が所定角度を超えて回動するのが規制される。このため、回動体を回動させる手段等が何らかの原因で故障したとしても、回動体の自由回動が許容されてしまうことがなく、例えば入賞球の重みで回動体が連続的に回転してしまうことがない。従って、入賞球が適切に検出されずに、排出部へと大量に導出されてしまうという事態は回避される。
【００１８】
また、請求項２に記載の発明によれば、請求項１に記載の発明の作用に加えて、前記回動規制手段は、駆動部と、係合機構とを含んでおり、駆動部は、所定の条件が成立したときに回動体を軸方向へ移動させる。また、回動体が軸方向へ移動したことに基づいて、回動体に設けられた係合部が固定状態にある被係合部と係合し、これによりそれ以上の回動が規制される。従って、上記作用が確実に奏される。
【００１９】
さらに、請求項３に記載の発明によれば、請求項２に記載の発明の作用に加えて、回動体は軸方向に往復移動するものであり、係合機構は往動側及び復動側にそれぞれ設けられている。従って、回動体の軸方向への１回の往復動作でもって、回動体は、少なくとも２回の回動・停止動作を行いうる。このため、回動体を軸方向に移動させるためのスペースが最小限に抑制されうる。
【００２０】
併せて、請求項４に記載の発明によれば、請求項２、３に記載の発明の作用に加えて、前記係合機構においては、前記回動体が軸方向へ移動したことに基づいて回動体に設けられた係合部が固定状態にある被係合部と係合する際に、回動体が所定角度ずつ回動させられ、かつ、所定角度以上の回動が規制される。従って、入賞球の重力によらずとも、回動体を積極的に回動させることができる。
【００２１】
【発明の実施の形態】
（第１の実施の形態）
以下に、本発明における入賞球処理装置を、パチンコ機のそれに具体化した第１の実施の形態を、図面に基づいて詳細に説明する。図１は本実施の形態におけるパチンコ機の外観を示す正面図（ただし、釘等は省略してある）であり、図２はそのパチンコ機を裏側から見た状態を示す斜視図である。
【００２２】
図１に示すように、パチンコ機本体１は、外枠２及び前面枠３を備えており、その前面枠３の前面内周には、透明なガラス板が取着されてなるガラス扉枠４が開閉自在に設けられている。そして、前記前面枠３の後面には、遊技盤５が着脱可能に装着されている。
【００２３】
この遊技盤５の前面には、一般入賞口６、可変入賞装置７、始動入賞口８等が配設されている。ここで、可変入賞装置７は、通常、打球が入賞できない状態又は入賞し難い状態になっている。また、始動入賞口８に対し打球が入賞することによって、図示しない始動入賞球検出センサがオンし、遊技盤５の中央部に配設された可変表示装置９の図柄がランダムに変動する。そして、停止した図柄の組み合わせによって可変入賞装置７が所定時間開いて、打球が入賞しやすい状態になるよう構成されている。
【００２４】
図２に示すように、パチンコ機本体１の裏側には、機構盤１１が側部にて回動可能に装着されている。この機構盤１１には、前記一般入賞口６、可変入賞装置７、始動入賞口８に入賞した入賞球が導かれる図示しない入賞球集合部が設けられているほか、その上部において景品球タンク１２及び景品球タンクレール１３が設けられている。また、機構盤１１には、前記景品球タンクレール１３に接続されてなる景品球払出装置１４が設けられている。この景品球払出装置１４は、コントローラからの制御信号に基づいて、景品球を所定個数ずつ（例えば、一般入賞口６及び始動入賞口８に入賞した場合には５個ずつ、可変入賞装置７に入賞した場合には１５個ずつ）、図示しない供給通路を経てパチンコ機本体１表側の上受皿１５（場合によっては下受皿１６）に払い出すようになっている。なお、図２中、符号１７は、前記コントローラを構成する電子制御回路基板等を収納してなる基板ボックスである。
【００２５】
さて、前記入賞球集合部の出口には、当該入賞球集合部に導かれた入賞球を一列に並んだ状態で下方へ流下させ、図示しない排出部へ１つずつ排出するための入賞球流路が設けられている。本実施の形態では、この入賞球流路の途中に、本発明に係る入賞球処理装置２１が設けられている。この入賞球処理装置２１は、前記一般入賞口６、可変入賞装置７、始動入賞口８に入賞した入賞球を１つずつ検出するとともに、検出後の入賞球を排出部へと導出するための装置である。
【００２６】
図３は、本実施の形態における入賞球処理装置２１を示す斜視図であり、図４はそれを表側から見た分解斜視図であり、図５はそれを裏側から見た分解斜視図である。これらの図に示すように、入賞球処理装置２１は、合成樹脂製の表側ハウジング２２及び裏側ハウジング２３を備えている。両ハウジング２２，２３には、それぞれ連結用のねじ孔２４が形成されており、該ねじ孔２４に図示しないねじが螺着されることにより、両者２２，２３は相互に対向した状態で固定されている。また、両ハウジング２２，２３には、それぞれ一対のリブ２５，２６が一体形成されており、これらリブ２５，２６により、入賞球を下方へと導出するための入賞球流路２７の一部が構成されている。
【００２７】
さらに、前記表側ハウジング２２のリブ２５の近傍には、全体として円環状に配列された斜歯２８が一体形成されている（図５参照）。当該斜歯２８は、複数個（本実施の形態では６つ）からなり、所定角度（例えば３０度）を隔てて所定角度（例えば３０度）ずつテーパ状に設けられている。また、裏側ハウジング２３のリブ２６の近傍にも、円環状に配列された斜歯２９が一体形成されている（図４参照）。当該斜歯２９は、複数個（本実施の形態では６つ）からなり、所定角度（本実施の形態では６０度）ずつテーパ状に、かつ連続的に設けられている。
【００２８】
これら両斜歯２８，２９間には、黒色に塗装され、例えばポリアセタール等の硬質樹脂からなるスプロケット３１（回動体を構成する）が配設されている。このスプロケット３１には入賞球を収容するための複数の（６つの）収容部３２が等間隔毎に設けられているとともに、収容部３２間には外周方向に突出する歯３３が一体形成されている。前記裏側ハウジング２３のリブ２６は、その一部が切り欠かれており、この切り欠き部から、スプロケット３１の歯３３の一部が前記入賞球流路２７の内部に突出可能となっている。
【００２９】
また、スプロケット３１の表面側及び裏面側には、それぞれ前記斜歯２８，２９に対向するようにして斜歯３４，３５が一体形成されている。当該スプロケット３１の中心には挿通孔３６が形成されており、該挿通孔３６にはスプロケット３１の厚みよりも長い円筒状のカラー３７が嵌め込まれている。そして、このカラー３７に対してピン３８が挿通されることにより、スプロケット３１はピン３８を中心として回動可能となっている。このピン３８の両端は、表側ハウジング２２及び裏側ハウジング２３からそれぞれ突出した状態となっている。
【００３０】
ピン３８の外周において、表側ハウジング２２及びスプロケット３１間にはワッシャ３９及びＥリング４１が介設され、Ｅリング４１はピン３８に形成された環状溝４２に嵌め込まれている。一方、ピン３８の外周において、裏側ハウジング２３及びスプロケット３１間にはワッシャ４３，４４及び第１のコイルスプリング４５が介設されている。このコイルスプリング４５の付勢力により、スプロケット３１は、通常は表側ハウジング２２の方へと押圧されている。従って、この状態において、スプロケット３１は、斜歯２８，３４の存在しない角度分（３０度）だけ回動可能となっているとともに、それ以上の回動は、斜歯２８，３４同士が当たり合うことにより規制されるようになっている。
【００３１】
なお、前記第１のコイルスプリング４５は、ワッシャ４４に当接しており、スプロケット３１には直接当たっていないことから、スプロケット３１は第１のコイルスプリング４５の付勢力に基づく摩擦力を直接的には受けないようになっている。このことに加え、前記カラー３７の存在も相まって、スプロケット３１は両ハウジング２２，２３間において、回動可能な範囲内において比較的スムースに回動できるようになっている。
【００３２】
また、前記裏側ハウジング２３には、スプロケット３１の側方に位置するようにして駆動部を構成するソレノイド４６が取着されている。このソレノイド４６は、取着用のブラケット４７、本体部４８及び可動片４９を備えている。また、可動片４９には、前記ピン３８の方に向かって延びる押圧片５１が固定されている。可動片４９と、ブラケット４７の突出部との間には、第２のコイルスプリング５２が配設され、このスプリング５２の引張力により、通常時には（ソレノイド４６の非励磁状態には）、可動片４９は、ソレノイド４６の本体部４８から離間するようにして斜めに位置するようになっている。一方、ソレノイド４６が励磁された場合には、可動片４９が第２のコイルスプリング５２の引張力に抗して本体部４８と接触する。これにより、押圧片５１の先端部分が、前記表側ハウジング２２から突出するピン３８を、前記第１のコイルスプリング４５の付勢力に抗して押圧するようになっている。
【００３３】
さらに、表側ハウジング２２及び裏側ハウジング２３間において、スプロケット３１の下方には、入賞球を検出するための検出手段としてのフォトセンサ５３が配設されている。このフォトセンサ５３は、側面凹字状をなし、常に光りを放ちうる投光部及びその光を受ける受光部を備えており、このフォトセンサ５３の凹んだ部分を、前記スプロケット３１の歯３３が通過するようになっている。そして、投光部から放たれた光がスプロケット３１の歯３３により遮断されたときに、フォトセンサ５３は、前記コントローラに対し入賞球を検出した旨の信号を出力する。
【００３４】
併せて、表側ハウジング２２及び裏側ハウジング２３間においてスプロケット３１の上方には、位置決め部材５４が垂下状態で回動可能に軸５５で支持されており、この位置決め部材５４の下部には真鍮製の錘５６が設けられている。そして、通常時には、当該位置決め部材５４の先端部分が前記スプロケット３１の収容部３２に当接した状態となっており、前記スプロケット３１の歯３３がフォトセンサ５３の凹んだ部分に位置しないよう、スプロケット３１の自由回動を規制するようになっている。ただし、当該位置決め部材５４のスプロケット３１に与える加重は、入賞球１つの重みよりも小さいものとなっている。なお、図３，４に示すように、前記裏側ハウジング２３のリブ２６は、前記位置決め部材５４の上方にまで延設されており、このリブ２６の存在により、位置決め部材５４の装着時における誤った装着（錘５６が上方に突出した状態で装着されてしまうこと）が防止されるようになっている。
【００３５】
次に上記のように構成されてなる入賞球処理装置２１の動作について説明する。図６，７に示すように、通常時においては、ソレノイド４６は励磁されておらず、かつ、入賞球の重力がスプロケット３１に加えられない場合には、位置決め部材５４から与えられる加重により、スプロケット３１は、同図に示す位置、すなわち、フォトセンサ５３の凹んだ部分に収容部３２が対応する位置に（歯３３が光を遮らない位置に）配置される。
【００３６】
そして、入賞球流路２７を通って、入賞球Ｂ１，Ｂ２が流下してきた場合には、図８，９に示すように、当該入賞球Ｂ１，Ｂ２の重みによって、スプロケット３１が所定角度（３０度）だけ回動する。このとき、上述したように、斜歯２８，３４同士が当たり合うこととなるため、それ以上のスプロケット３１の回動は規制される。すると、最下端の入賞球Ｂ１は収容部３２に収容されるとともに、スプロケット３１は、同図に示す位置、すなわち、フォトセンサ５３の凹んだ部分に歯３３が対応する位置にて停止される。このため、投光部から放たれていた光がスプロケット３１の歯３３により遮断されることとなり、フォトセンサ５３は、前記コントローラに対し入賞球Ｂ１を検出した旨の信号を出力する。そして、その検出信号に基づいて、コントローラは、前記景品球払出装置１４に対して、所定数の景品球を払い出す旨の信号を出力する。また、これとともに、コントローラは、ソレノイド４６を励磁させる。なお、当該励磁制御のタイミングは、特に限定されるものではなく、例えば、景品球払出装置１４による景品球の払出しが完了した直後であってもよいし、予め定められた所定数の景品球が払出された時点であってもよい。
【００３７】
ソレノイド４６が励磁されると、可動片４９が第２のコイルスプリング５２の引張力に抗して本体部４８と接触し、図１０，１１に示すように、押圧片５１の先端部分が、前記表側ハウジング２２から突出するピン３８を、前記第１のコイルスプリング４５の付勢力に抗して押圧する。このため、スプロケット３１は、ピン３８とともに、裏側ハウジング２３の方へと軸方向に移動し、これにより、斜歯２８，３４同士が当たり合っていたことによるスプロケット３１の回動規制が、解除されることとなる。従って、スプロケット３１の回動が許容され、前記入賞球Ｂ１の加重によって、スプロケット３１は、さらに所定角度（３０度）だけ回動する。ただし、この所定角度だけ回動した時点で、今度は裏側ハウジング２３の斜歯２９とそれに対向するスプロケット３１の斜歯３５とが噛合するため、それ以上のスプロケット３１の回動は規制されることとなる。
【００３８】
そして、この回動により、入賞球Ｂ１の収容状態が解除され、当該入賞球Ｂ１は入賞球流路２７を通って流下し、排出部へと導出される。
【００３９】
さらに、入賞球Ｂ１の収容状態が解除された後、前記コントローラは、ソレノイド４６を非励磁状態とする。すると、前記第１のコイルスプリング４５の付勢力により、ピン３８及びスプロケット３１は、再び表側ハウジング２２の方へと軸方向に移動する。これにより、斜歯２９，３５同士が噛合していたことによるスプロケット３１の回動規制が解除されることとなる。従って、この時点で、入賞球処理装置２１は、図６，７と同様の状態、つまり、次の入賞球Ｂ２の加重を受ける状態となり、それ以降上述した動作を繰り返し行う。
【００４０】
次に、本実施の形態における効果について説明する。
【００４１】
（１）本実施の形態によれば、スプロケット３１が少なくとも入賞球Ｂ１，Ｂ２の重力に基づいて所定角度ずつ回動し、これにより、入賞球Ｂ１，Ｂ２は、入賞球流路２７のうち下方へ向かう部分の流れ方向に１つずつ搬送させられる。このため、スプロケット３１によって、入賞球Ｂ１，Ｂ２がその重力に反して持ち上げられるようなことがない。従って、スプロケット３１、ひいてはソレノイド４６に大きな負荷がかかってしまうという事態を回避することができ、結果として、ソレノイド４６等に大きな負荷がかかることによる各種の不具合（入賞球処理装置２１の故障や損傷）を極力防止することができる。
【００４２】
（２）また、このことから、入賞球Ｂ１，Ｂ２の持ち上げを考慮した微妙な設計をしなくて済むため、大量生産に適し、ひいては製造コストの低減を図ることができる。
【００４３】
（３）さらに、本実施の形態では、スプロケット３１に、入賞球Ｂ１，Ｂ２を収容するための複数の収容部３２を設け、これら収容部３２により、入賞球Ｂ１，Ｂ２を１つずつ搬送するとともに、スプロケット３１を確実に所定角度ずつ回動させることとした。このため、１つの動作に伴い、複数の入賞球が同時に排出されてしまうといった事態を回避することができる。
【００４４】
特に、フォトセンサ５３にて入賞球Ｂ１が検出されたことに基づいて、ソレノイド４６が励磁され、さらなるスプロケット３１の回動が許容されるようにしたため、上記効果がより確実に奏される。
【００４５】
（４）併せて、通常時は第１のコイルスプリング４５の付勢力により、スプロケット３１を表側ハウジング２２の方へと移動させ、斜歯２８，３４同士が当たり合うようにした。また、入賞球Ｂ１の検出後においてはソレノイド４６の励磁によって、スプロケット３１を軸方向へ移動させ、斜歯２９，３５同士を噛合させることとした。このため、特にスプロケット３１を回動させるためのモータ等の駆動手段を別途設けることなく、スプロケット３１を確実に所定角度ずつ回動させることができ、ひいては、上記（３）に記載の効果をより確実なものとすることができる。
【００４６】
さらには、上記の構成を採用したことにより、例えば何らかの原因でソレノイド４６が故障してしまったとしても、スプロケット３１の自由回動が許容されてしまうことがない。その結果、故障時において入賞球が連続的に流下してしまうことがなく、ひいては遊技者に対し不利益が及んだり、興趣が低下してしまったりするのを確実に防止することができる。
【００４７】
（５）加えて、本実施の形態では、位置決め部材５４を設けているので、通常時においては、スプロケット３１の自由回動が規制され、スプロケット３１の歯３３がフォトセンサ５３の凹んだ部分に位置することがない。従って、入賞球の誤検出を確実に防止することができる。
【００４８】
（６）また、スプロケット３１の表面を黒色としたことから、フォトセンサ５３による検出精度の向上が図られる。また、スプロケット３１の素材としてポリアセタール等の硬質樹脂を採用したため、長期使用によっても摩耗されにくく、耐久性の向上を図ることができる。さらには、ポリアセタールは滑りやすい素材であるため、他の部材と接触した場合でも円滑な回動動作が阻害されたりしにくい。
【００４９】
さらに、上述したように、スプロケット３１は第１のコイルスプリング４５の付勢力に基づく摩擦力を直接的には受けないこと、並びにピン３８及びスプロケット３１間にはカラー３７が介在されていること等から、スプロケット３１は回動可能な範囲内においてスムースに回動しうる。
【００５０】
（７）併せて、本実施の形態では、フォトセンサ５３を入賞球流路２７とは離間した位置に設け、スプロケット３１の歯３３の通過により入賞球Ｂ１を検出することとした。従って、入賞球流路２７がフォトセンサ５３により阻害されることなく、入賞球Ｂ１，Ｂ２を円滑に排出することができる。
【００５１】
（第２の実施の形態）
次に、本発明を具体化した第２の実施の形態を、図１２〜図２２に従って説明する。
【００５２】
図１２は、本実施の形態における入賞球処理装置６１を示す斜視図であり、図１３はそれを表側から見た分解斜視図であり、図１４はそれを裏側から見た分解斜視図である。これらの図に示すように、入賞球処理装置６１は、表側ハウジング６２及び裏側ハウジング６３を備えている。両ハウジング６２，６３には、それぞれ連結用のねじ孔６４が形成されており、該ねじ孔６４に図示しないねじが螺着されることにより、両者６２，６３は相互に対向した状態で固定されている。また、両ハウジング６２，６３には、それぞれ一対のリブ６５，６６が一体形成されており、これらリブ６５，６６により、入賞球を下方へと導出するための入賞球流路６７の一部が構成されている。
【００５３】
さらに、前記表側ハウジング６２のリブ６５の近傍には、全体として円環状に配列された斜歯６８が一体形成されている（図１４参照）。当該斜歯６８は、複数個（本実施の形態では６つ）からなり、所定角度（例えば６０度）ずつテーパ状に、かつ、連続的に設けられている。また、裏側ハウジング６３のリブ６６の近傍にも、円環状に配列された斜歯６９が一体形成されている（図１３参照）。当該斜歯６９も、複数個（本実施の形態では６つ）からなり、所定角度（本実施の形態では６０度）ずつテーパ状に、かつ、連続的に設けられている。本実施の形態では、これらの斜歯６８，６９は、同位相となるよう設けられている。また、裏側ハウジング６３の斜歯６９の中心には、表側ハウジング６２の方へ向かって突出する軸７０が一体形成されている（インサート成形により設けられていてもよい）。
【００５４】
これら両斜歯６８，６９間には、黒色に塗装され、例えばポリアセタール等の硬質樹脂からなるスプロケット７１（回動体を構成する）が配設されている。このスプロケット７１には入賞球を収容するための複数の（６つの）収容部７２が等間隔毎に設けられているとともに、収容部７２間には外周方向に突出する歯７３が一体形成されている。前記裏側ハウジング６３のリブ６６は、その一部が切り欠かれており、この切り欠き部から、スプロケット７１の歯７３の一部及び収容部７２の一部が前記入賞球流路６７の内部に突出可能となっている（臨みうる）。
【００５５】
また、スプロケット７１の表面側及び裏面側には、それぞれ前記斜歯６８，６９に対向するようにして斜歯７４，７５が一体形成されている。すなわち、斜歯７４，７５は、それぞれ前記斜歯６８，６９に噛合できるようになっている。さらに、両斜歯７４，７５間には、３０度の位相差が設けられている。本実施の形態では、これら斜歯６８，６９，７４，７５により、回動規制手段（係合機構）が構成されている。
【００５６】
スプロケット７１の中心には挿通孔７６が形成されており、該挿通孔７６には押圧ボタン７７の筒状部７８が挿入されている。この押圧ボタン７７は、円筒状の筒状部７８と、該筒状部７８の孔に連通する穴を有する押圧部７９と、筒状部７８及び押圧部７９間に位置するフランジ部８１とからなっている。押圧ボタン７７は、その筒状部７８が前記軸７０に対し嵌め込まれており、軸７０を中心に回動可能に設けられている。すなわち、押圧ボタン７７は軸７０を中心として、スプロケット７１は筒状部７８を中心としてそれぞれ相対回動可能となっている。なお、押圧ボタン７７の押圧部７９は、表側ハウジング６２に設けられた孔からその一部が突出した状態となっている。
【００５７】
筒状部７８の外周において、裏側ハウジング６３及びスプロケット７１間にはワッシャ８２及び第１のコイルスプリング８３が介設されている。このコイルスプリング８３の付勢力により、スプロケット７１は、通常は表側ハウジング６２の方へと押圧されている。従って、この状態において、スプロケット７１は、斜歯６８，７４同士が噛合しあうことにより、その回動が規制された状態となっている。
【００５８】
なお、前記第１のコイルスプリング８３は、ワッシャ８２に当接しており、スプロケット７１には直接当たっていないことから、スプロケット７１は第１のコイルスプリング８３の付勢力に基づく摩擦力を直接的には受けないようになっている。このことに加え、前記押圧ボタン７７がスプロケット７１とは別体で設けられていることも相まって、スプロケット７１は両ハウジング６２，６３間において、回動が許容された場合には、回動可能な範囲内において比較的スムースに回動できるようになっている。
【００５９】
また、前記裏側ハウジング６３には、スプロケット７１の側方に位置するようにして駆動部を構成するソレノイド８４が取着されている。このソレノイド８４は、取着用のブラケット８５、本体部８６及び可動片８７を備えている。また、可動片８７には、前記押圧ボタン７７（押圧部７９）の方に向かって延びる押圧片８８が固定されている。可動片８７と、ブラケット８５の突出部との間には、第２のコイルスプリング８９が配設され、このスプリング８９の引張力により、通常時には（ソレノイド８４の非励磁状態には）、可動片８７は、ソレノイド８４の本体部８６から離間するようにして斜めに位置するようになっている。一方、ソレノイド８４が励磁された場合には、可動片８７が第２のコイルスプリング８９の引張力に抗して本体部８６と接触する。これにより、押圧片８８の先端部分が、前記表側ハウジング６２から突出する押圧ボタン７７の押圧部７９を、前記第１のコイルスプリング８３の付勢力に抗して押圧するようになっている。
【００６０】
さらに、表側ハウジング６２及び裏側ハウジング６３間において、スプロケット７１の側方には、入賞球を検出するための検出手段としてのフォトセンサ９１が、入賞球流路６７を挟み込むようにして配設されている。このフォトセンサ９１は、上記第１の実施の形態と同様、凹字状をなすとともに、投光部及び受光部を備えている。但し、本実施の形態では、このフォトセンサ９１の凹んだ部分を、入賞球が通過しうるようになっている。そして、投光部から放たれた光が入賞球により遮断されたときに、フォトセンサ９１は、前記コントローラに対し入賞球を検出した旨の信号を出力する。
【００６１】
なお、本実施の形態では、スプロケット７１の自由回動が規制されているため、第１の実施の形態の如き位置決め部材５４は設けられていない。また、位置決め部材５４が設けられないことから、リブ６６の延設もなされていない。
【００６２】
次に上記のように構成されてなる入賞球処理装置６１の動作について説明する。図１５，１６に示すように、通常時においては、ソレノイド８４は励磁されておらず、しかも、第１のコイルスプリング８３の付勢力により、スプロケット７１は表側ハウジング６２の方へと押圧され、斜歯６８，７４同士が噛合しあっており、スプロケット７１は、その回動が規制された状態となっている。また、入賞球Ｂ１が未だフォトセンサ９１の凹んだ部分にまで到達していない場合には、入賞球Ｂ１が光を遮ることがないため、フォトセンサ９１は入賞球Ｂ１を検出することがない。
【００６３】
そして、入賞球流路６７を通って、入賞球Ｂ１，Ｂ２が流下してきた場合には、図１７に示すように、最下端の入賞球Ｂ１がまず、スプロケット７１の歯７３の一部によって受け止められる（但し、このとき、斜歯６８，７４同士が噛合状態にあるため、入賞球Ｂ１の重みによってスプロケット７１が回動してしまうことはない）。また、これとともに、最下端の入賞球Ｂ１がフォトセンサ９１の凹んだ部分に到達する。これにより、当該入賞球Ｂ１がフォトセンサ９１の光を遮ることとなり、フォトセンサ９１は、前記コントローラに対し入賞球Ｂ１を検出した旨の信号を出力する。そして、その検出信号に基づいて、前記コントローラは、景品球払出装置１４に対して、所定数の景品球を払い出す旨の信号を出力する。
【００６４】
さらに、フォトセンサ９１が検出信号を出力した後、コントローラは、ソレノイド８４を励磁させる。なお、当該励磁制御のタイミングは、特に限定されるものではなく、例えば、景品球払出装置１４による景品球の払出しが完了した直後であってもよいし、予め定められた所定数の景品球が払出された時点であってもよい。
【００６５】
ソレノイド８４が励磁されると、可動片８７が第２のコイルスプリング８９の引張力に抗して本体部８６と接触し、図１８，１９に示すように、押圧片８８の先端部分が、前記表側ハウジング６２から突出する押圧ボタン７７（押圧部７９）を、前記第１のコイルスプリング８３の付勢力に抗して押圧する。このため、スプロケット７１は、押圧ボタン７７とともに、裏側ハウジング６３の方へと軸方向に移動し、これにより、斜歯６８，７４同士が噛合しあっていたことによるスプロケット７１の回動規制が、解除されることとなる。また、スプロケット７１の軸方向への移動により、今度は、斜歯６９，７５同士が噛合しあうこととなる。このとき、斜歯７４，７５間には、３０度の位相差があるため、上記噛合に際して、スプロケット７１は３０度回動することとなる（図１８の反時計回り方向）。もちろん、このとき、スプロケット７１には、入賞球Ｂ１、Ｂ２の重みが加わることになり、上記スプロケット７１の回動が促されることはいうまでもない。但し、上記噛合により、それ以上（３０度以上）のスプロケット７１の回動は規制される。
【００６６】
上記スプロケット７１の回動により、入賞球Ｂ１，Ｂ２は若干下方に移動し、最下端の入賞球Ｂ１は、完全に収容部７２に収容される。このとき、図１８に示すように、フォトセンサ９１の光は、２つの入賞球Ｂ１，Ｂ２の間（入賞球Ｂ１の上方）を通過することとなり、遮断されなくなる。これにより、フォトセンサ９１は、コントローラに対し、入賞球Ｂ１を検出した旨の信号を出力しなくなる。
【００６７】
その後、ソレノイド８４が非励磁状態となることにより、斜歯６９，７５同士が噛合しあっていたことによるスプロケット７１の回動規制が、解除されることとなる。また、これとともに、スプロケット７１の軸方向への移動により、今度は、再度斜歯６８，７４同士が噛合しあうこととなる。このとき、斜歯７４，７５間には、３０度の位相差があるため、図２０に示すように、上記噛合に際して、スプロケット７１はさらに３０度回動することとなる（反時計回り方向）。但し、上記噛合により、それ以上のスプロケット７１の回動は規制される。
【００６８】
そして、この回動により、入賞球Ｂ１の収容状態が解除され、当該入賞球Ｂ１は入賞球流路６７を通って流下し、排出部へと導出される。
【００６９】
また、このとき、次の入賞球Ｂ２がスプロケット７１の歯７３の一部によって受け止められるとともに、該入賞球Ｂ２がフォトセンサ９１の凹んだ部分に到達する。これにより、当該入賞球Ｂ２が再度フォトセンサ９１の光を遮ることとなり、フォトセンサ９１は、前記コントローラに対し入賞球Ｂ２を検出した旨の信号を出力する。そして、その検出信号に基づいて、コントローラは、景品球払出装置１４に対して、所定数の景品球を払い出す旨の信号を出力する。
【００７０】
さらに、フォトセンサ９１が検出信号を出力した後、コントローラは、ソレノイド８４を再度励磁させる。ソレノイド８４が励磁されると、上記同様、可動片８７が第２のコイルスプリング８９の引張力に抗して本体部８６と接触し、押圧片８８の先端部分が、押圧ボタン７７を押圧する。このため、スプロケット７１は、押圧ボタン７７とともに、再度裏側ハウジング６３の方へと軸方向に移動し、斜歯６８，７４同士が噛合しあっていたことによるスプロケット７１の回動規制が解除され、今度は、斜歯６９，７５同士が噛合しあうこととなる。このとき、斜歯７４，７５間には、３０度の位相差があるため、図２１に示すように、上記噛合に際して、スプロケット７１はさらに３０度回動することとなる（反時計回り方向）。
【００７１】
上記スプロケット７１の回動により、入賞球Ｂ２は若干下方に移動し、完全に収容部７２に収容される。このとき、図２１に示すように、フォトセンサ９１の光は、入賞球Ｂ２の上方を通過することとなり、遮断されなくなる。これにより、フォトセンサ９１は、コントローラに対し、入賞球Ｂ２を検出した旨の信号を出力しなくなる。
【００７２】
その後、ソレノイド８４が非励磁状態となることにより、斜歯６９，７５同士が噛合しあっていたことによるスプロケット７１の回動規制が解除され、スプロケット７１の軸方向への移動により、今度は、再度斜歯６８，７４同士が噛合しあうこととなる。このとき、斜歯７４，７５間には、３０度の位相差があるため、図２２に示すように、上記噛合に際して、スプロケット７１はさらに３０度回動し、かつ、それ以上の回動は規制される。そして、この回動により、入賞球Ｂ２の収容状態が解除され、当該入賞球Ｂ２は入賞球流路６７を通って流下し、排出部へと導出される。
【００７３】
このように、入賞球処理装置６１は、さらなる入賞球が導入されてきた場合にも、上記と同様の動作を繰り返し行う。
【００７４】
次に、本実施の形態における効果について説明する。
【００７５】
本実施の形態においても、基本的には、上記第１の実施の形態と同等の効果が奏される。すなわち、
（１）本実施の形態によれば、スプロケット７１によって、入賞球Ｂ１，Ｂ２がその重力に反して持ち上げられるようなことがない。従って、スプロケット７１、ひいてはソレノイド８４に大きな負荷がかかってしまうという事態を回避することができ、結果として、ソレノイド８４等に大きな負荷がかかることによる各種の不具合（入賞球処理装置６１の故障や損傷）を極力防止することができる。
【００７６】
（２）また、このことから、入賞球Ｂ１，Ｂ２の持ち上げを考慮した微妙な設計をしなくて済むため、大量生産に適し、ひいては製造コストの低減を図ることができる。
【００７７】
（３）さらに、本実施の形態では、スプロケット７１に、入賞球Ｂ１，Ｂ２を収容するための複数の収容部７２を設け、これら収容部７２により、入賞球Ｂ１，Ｂ２を１つずつ搬送するとともに、スプロケット７１を確実に所定角度ずつ回動させることとした。このため、１つの動作に伴い、複数の入賞球が同時に排出されてしまうといった事態を回避することができる。
【００７８】
特に、フォトセンサ９１にて入賞球Ｂ１，Ｂ２が検出されたことに基づいて、ソレノイド８４が励磁され、さらなるスプロケット７１の回動が許容されるようにしたため、上記効果がより確実に奏される。
【００７９】
（４）併せて、通常時は第１のコイルスプリング８３の付勢力により、スプロケット７１を表側ハウジング６２の方へと移動させ、斜歯６８，７４同士が当たり合うようにした。また、入賞球Ｂ１，Ｂ２の検出後においてはソレノイド８４の励磁によって、スプロケット７１を軸方向へ移動させ、斜歯６９，７５同士を噛合させることとした。このため、特にスプロケット７１を回動させるためのモータ等の駆動手段を別途設けることなく、スプロケット７１を確実に所定角度ずつ回動させることができ、ひいては、上記（３）に記載の効果をより確実なものとすることができる。
【００８０】
さらには、上記の構成を採用したことにより、例えば何らかの原因でソレノイド８４が故障してしまったとしても、スプロケット７１の自由回動が許容されてしまうことがない。その結果、故障時において入賞球が連続的に流下してしまうことがなく、ひいては遊技者に対し不利益が及んだり、興趣が低下してしまったりするのを確実に防止することができる。
【００８１】
（５）また、第１の実施の形態とは異なり、本実施の形態では、入賞球Ｂ１，Ｂ２の重力にたよることなく、斜歯６８，７４同士及び斜歯６９，７５同士を噛合させることにより、スプロケット７１を所定角度ずつ回動させ、かつ、それ以上の回動を規制するようにした。このため、例えば埃等の異物が内部に紛れ込んだ場合に、第１の実施の形態では入賞球Ｂ１，Ｂ２の重みだけではスプロケット３１が回動しにくくなる場合も想定されるが、本実施の形態によれば、確実にスプロケット７１を所定角度回動させることができる。
【００８２】
（６）加えて、本実施の形態では、入賞球Ｂ１，Ｂ２の重力にたよってスプロケット７１を回動させるわけではないので、第１の実施の形態の如く位置決め部材５４を設けたり、リブ６６を延設したりする必要がない。その結果、構造の簡素化及びコストの低減を図ることができる。
【００８３】
（７）併せて、本実施の形態では、スプロケット７１の自由回動を規制するべく、スプロケット７１を軸方向に移動させて斜歯６８，７４同士及び斜歯６９，７５同士を噛合させることとした。従って、別途離間した部位に回動規制のための手段を設けた場合に比較して、著しい省スペース化を図ることができる。
【００８４】
（８）また、上述したように、スプロケット７１は第１のコイルスプリング８３の付勢力に基づく摩擦力を直接的には受けないこと、並びに押圧ボタン７７を別体で設けることとしたこと等から、スプロケット７１は回動を許容された場合においてスムースに回動しうる。
【００８５】
尚、本発明は上述した実施の形態の記載内容に限定されるものではなく、従って、発明の趣旨を逸脱しない範囲で、例えば次のように実施してもよい。
【００８６】
（ａ）上記第２の実施の形態では、押圧ボタン７７をスプロケット７１に対し別体で設けることとした。これに対し、図２３に示すように、押圧部９６を一体的に有してなるスプロケット９７を用いることとしてもよい。このような構成としても上記第２の実施の形態と同等の作用効果が奏される。また、これに加えて、部品点数の低減をも図ることができる。
【００８７】
（ｂ）スプロケット３１，７１の収容部３２，７２及び歯３３，７３の数、斜歯２８，２９，３４，３５，６８，６９，７４，７５の数や間隔等については、入賞球を１つずつ確実に検出でき、かつ、排出できるものであれば上記実施の形態に何ら限定されるものではない。
【００８８】
（ｃ）上記実施の形態におけるワッシャ３９，４３，４４，８２、カラー３７、Ｅリング４１等を適宜省略する構成としてもよい。
【００８９】
（ｄ）上記第１の実施の形態では、フォトセンサ５３を入賞球流路２７とは離間した位置に設けることとしたが、入賞球流路２７の途中に設ける構成としても差し支えない。
【００９０】
（ｅ）上記第２の実施の形態では、検出手段としてフォトセンサ９１を採用することとしたが、代わりに、近接スイッチや接点スイッチ等を採用することとしてもよい。
【００９１】
（ｆ）上記実施の形態では、第１のコイルスプリング４５，８３の付勢力により、通常時には、スプロケット３１，７１を表側ハウジング２２，６２の方へと押しつけるように構成したが、当該第１のコイルスプリング４５，８３を省略する構成としてもよい。例えば、押圧片５１，８８に対し、ピン３８や押圧ボタン７７の先端部分を連結させた場合においても、上記各実施の形態と同等の作用効果が奏される。また、このような構成とすることで、ワッシャ３９，４３，４４，８２、カラー３７、Ｅリング４１等の省略をも図ることができる。
【００９２】
（ｇ）上記各実施の形態では、表側ハウジング２２，６２及び裏側ハウジング２３，６３にそれぞれ一対のリブ２５，２６，６５，６６を形成し、これらリブ２５，２６，６５，６６により入賞球流路２７，６７を構成するようにしたが、いずれか一方のハウジングにのみリブを設けることとし、他方を蓋状のものとしてもよい。
【００９３】
（ｈ）上記第１の実施の形態における位置決め部材５４に替えて、例えば係合突起や係合凹部を、スプロケット３１や、表側ハウジング２２又は裏側ハウジング２３に設け、この係合関係によりスプロケット３１の自由回動を規制して、位置決めするようにしてもよい。
【００９４】
（ｉ）本発明は、上記実施の形態とは異なるタイプのパチンコ機等にも適用できる。また、本発明は、パチンコ機以外にも、アレパチ、アレンジボール等の各種遊技機にも適用できる。
【００９５】
上記実施の形態から把握できる技術的思想について以下に記載する。
【００９６】
（１）請求項２〜４に記載の入賞球処理装置において、前記係合部及び被係合部は、相互に噛合しあうとともに、環状に配列されたテーパ状の斜歯によって構成されていることを特徴とする。
【００９７】
【発明の効果】
以上詳述したように、本発明の入賞球処理装置によれば、入賞球の負荷による不具合を抑制することができるとともに、故障時等における遊技者にとっての不利益や興趣の低下を防止することができるという優れた効果を奏する。
【００９８】
また、本発明によれば、省スペース化をも図ることができる。
【図面の簡単な説明】
【図１】第１の実施の形態におけるパチンコ機の外観を示す正面図である。
【図２】パチンコ機を裏側から見た状態を示す斜視図である。
【図３】入賞球処理装置を示す斜視図である。
【図４】入賞球処理装置を表側から見た分解斜視図である。
【図５】入賞球処理装置を裏側から見た分解斜視図である。
【図６】入賞球処理装置の動作を説明する図であって通常時の内部構造を示す模式図である。
【図７】図６のＪ−Ｊ線断面図である。
【図８】入賞球処理装置の動作を説明する図であって入賞球検出時の内部構造を示す模式図である。
【図９】図８のＫ−Ｋ線断面図である。
【図１０】入賞球処理装置の動作を説明する図であってソレノイドの励磁状態における内部構造を示す模式図である。
【図１１】図１０のＬ−Ｌ線断面図である。
【図１２】第２の実施の形態における入賞球処理装置を示す斜視図である。
【図１３】入賞球処理装置を表側から見た分解斜視図である。
【図１４】入賞球処理装置を裏側から見た分解斜視図である。
【図１５】入賞球処理装置の動作を説明する図であって通常時の内部構造を示す模式図である。
【図１６】図１５のＭ−Ｍ線断面図である。
【図１７】入賞球処理装置の動作を説明する図であって入賞球検出時の内部構造を示す模式図である。
【図１８】入賞球処理装置の動作を説明する図であってソレノイドの励磁状態における内部構造を示す模式図である。
【図１９】図１８のＮ−Ｎ線断面図である。
【図２０】入賞球処理装置の動作を説明する図であって次の入賞球検出時の内部構造を示す模式図である。
【図２１】入賞球処理装置の動作を説明する図であってソレノイドの励磁状態における内部構造を示す模式図である。
【図２２】入賞球処理装置の動作を説明する図であって次の入賞球排出時の内部構造を示す模式図である。
【図２３】別の実施の形態における入賞球処理装置を示す断面図である。
【図２４】従来技術における入賞球処理装置の内部構造を示す模式図である。
【図２５】従来技術における入賞球処理装置の動作を説明するための模式図である。
【符号の説明】
１…パチンコ機本体、２１，６１…入賞球処理装置、２７，６７…入賞球流路、２８，２９，６８，６９…斜歯、３１，７１，９７…スプロケット、３２，７２…収容部、３３，７３…歯、３４，３５，７４，７５…斜歯、４５，８３…第１のコイルスプリング、４６，８４…ソレノイド、５１，８８…押圧片、５３，９１…フォトセンサ、５４…位置決め部材。